(57)【要約】【課題】  この発明は、地中のあらゆる隙間にコンクリートを浸透させて、強固な地盤の支持力を確保及び地盤沈下の抑制を図ることのできる軟弱地盤の補強工法を開発・提供することにある。【解決手段】  軟弱地盤の地面Ａに、スパイラルな羽根２を周面に有した略紡錘状の杭本体１を、建設機械Ｂに吊り込み、杭芯に合わせてセットし、軟弱地面の支持層に向けて縦穴Ｃを穿設し、縦穴の周囲の軟土を圧押する工程と、その後、杭本体を縦穴より抜く工程と、該縦穴に、コンクリートＤを挿入し、内部のコンクリートを充填したまま、再度、紡錘状の杭本体を回転埋設させて、充填したコンクリートを縦穴の周囲に押圧して内部に浸透させる工程と、これらの工程を、一回、または複数回繰り返して行う工程と、最後に、縦穴にコンクリートを流し込む工程からなることを特徴とする軟弱地盤の補強工法。【選択図】        図１
2006257723.tif 000002
【特許請求の範囲】
【請求項１】
軟弱地盤の地面（Ａ）に、スパイラルな羽根（２）を周面に有した略紡錘状の杭本体（１）を、建設機械（Ｂ）に吊り込み、杭芯に合わせてセットし、杭本体の所定深さまで回転埋設させて、軟弱地面の支持層に向けて縦穴（Ｃ）を穿設し、縦穴（Ｃ）の周囲の軟土を圧押する工程と、その後、杭本体（１）を抜く工程と、該縦穴（Ｃ）の内部にコンクリート（Ｄ）を充填し、再度、紡錘状の杭本体（１）を回転埋設させて、充填したコンクリートを攪拌し、縦穴（Ｃ）の周囲に押圧して内部に浸透させる工程と、これらの工程を、一回、または複数回繰り返して行う工程と、最後に、縦穴（Ｃ）にコンクリートを流し込む工程との組み合わせからなることを特徴とする軟弱地盤の補強工法。
【請求項２】
軟弱地盤の地面（Ａ）に、スパイラルな羽根（２）を周面に有した略紡錘状の杭本体（１）を、建設機械（Ｂ）に吊り込み、杭芯に合わせてセットし、杭本体の所定深さまで回転埋設させて、軟弱地面の支持層に向けて縦穴（Ｃ）を穿設し、縦穴（Ｃ）の周囲の軟土を圧押する工程と、その後、杭本体（１）を抜く工程と、該縦穴（Ｃ）に、先端部に尖鋭部材（３）を有し、内部にコンクリート（Ｄ）を充填した筒体（４）を挿入し、筒体（４）のみを引き上げ、内部のコンクリート（Ｄ）を充填したまま、再度、紡錘状の杭本体（１）を回転埋設させて、充填したコンクリートを攪拌し、縦穴（Ｃ）の周囲に押圧して内部に浸透させる工程と、これらの工程を、一回、または複数回繰り返して行う工程と、最後に、縦穴（Ｃ）にコンクリートを流し込む工程との組み合わせからなることを特徴とする軟弱地盤の補強工法。
【発明の詳細な説明】
【技術分野】
【０００１】
この発明は、軟弱地盤の補強工法に関するものである。
【背景技術】
【０００２】
従来、建築物を構築する際には、その基礎となる地盤の調査を行い、地盤の強度を確保する対策が取られている。
【０００３】
そして、軟弱地盤の場合には、鋼管杭を固い岩盤等の支持層まで複数本打ち込み、その杭の上に基礎を設ける等の工夫がなされており、この方法は、鋼管杭打設工法と呼ばれるものである。例えば、特許文献１のように。
【特許文献１】特開２００４−３６０４０３号工法
【０００４】
しかし、この鋼管杭打設工法では、軟弱地盤はそのままであり、かつ、軟弱地盤のあらゆる隙間までコンクリートを浸透させるようなものではなかった。
【０００５】
また、鋼管杭打設工法によると、排土の処理などの二次公害が生じ、従って、煩雑さや、コストが発生するものであった。
【０００６】
さらに、軟弱地盤層が厚く、柱状改良工法では、改良不可能な深さに強固な地盤がある場合には、不可能であった。
【発明の開示】
【発明が解決しようとする課題】
【０００７】
そこで、この発明は、従来の鋼管杭打設工法に代わって発明されたものであり、鋼管杭打設工法とは異なり、地中のあらゆる隙間にコンクリートを浸透させて、強固な地盤の支持力を確保及び地盤沈下の抑制を図ることのできる軟弱地盤の補強工法を開発・提供することにある。
【課題を解決するための手段】
【０００８】
そして、この発明は、地盤調査の後、軟弱地盤の地面（Ａ）に、スパイラルな羽根（２）を周面に設けた紡錘状の杭本体（１）を建設機械（Ｂ）により吊り上げ、回転させて、地面の支持層まで打ち込み、縦穴（Ｃ）を穿設する工程と、次に、該穴（Ｃ）に、先端部に尖鋭部材（３）を有し、内部にコンクリート（Ｄ）を内蔵した筒体（４）を挿入し、筒体（４）のみを引き上げて取り除き、内部にコンクリート（Ｄ）を縦穴（Ｃ）の周囲の軟土を圧押する工程と、該工程を一または複数回繰り返して行う工程と、縦穴（Ｃ）にコンクリートを流し込む工程からなることを特徴とする軟弱地盤の補強工法である。
【発明の効果】
【０００９】
この発明によると、軟弱地盤部に、径の太い紡錘状の杭本体（１）で縦穴をあけることにより、縦穴（Ｃ）周囲の地盤を押圧して強固にする効果があり、さらに、コンクリート（Ｄ）を縦穴（Ｃ）周囲の地盤に浸透させることにより、また、この作業を反復して行うことにより、充填したコンクリートが固化すると、垂直にかかる力が土中で分散するため、非常に強い支持力が得られる結果、強固な地盤が確保できるものである。
【発明を実施するための最良の形態】
【００１０】
この発明の一実施例を図１により詳述すると、軟弱地盤の地面（Ａ）に、スパイラルな羽根（２）を周面に有した略紡錘状の杭本体（１）を、建設機械（Ｂ）に吊り込み、杭芯に合わせてセットし、杭本体の所定深さまで回転埋設させて、軟弱地面の支持層に向けて縦穴（Ｃ）を穿設し、縦穴（Ｃ）の周囲の軟土を圧押する工程と、その後、杭本体（１）を縦穴（Ｃ）より抜く工程と、該縦穴（Ｃ）に、コンクリート（Ｄ）を挿入し、内部のコンクリート（Ｄ）を充填したまま、再度、紡錘状の杭本体（１）を回転埋設させて、充填したコンクリートを縦穴（Ｃ）の周囲に押圧して内部に浸透させる工程と、これらの工程を、一回、または複数回繰り返して行う工程と、最後に、縦穴（Ｃ）にコンクリートを流し込む工程との組み合わせからなることを特徴とする軟弱地盤の補強工法から構成されるものである。
【００１１】
この発明の他の実施例を詳述すると、軟弱地盤の地面（Ａ）に、スパイラルな羽根（２）を周面に有した略紡錘状の杭本体（１）を、建設機械（Ｂ）に吊り込み、杭芯に合わせてセットし、杭本体の所定深さまで回転埋設させて、軟弱地面の支持層に向けて縦穴（Ｃ）を穿設し、縦穴（Ｃ）の周囲の軟土を圧押する工程と、その後、杭本体（１）を抜く工程と、該縦穴（Ｃ）に、先端部に尖鋭部材（３）を有し、内部にコンクリート（Ｄ）を充填した筒体（４）を挿入し、筒体（４）のみを引き上げ、内部のコンクリート（Ｄ）を充填したまま、再度、紡錘状の杭本体（１）を回転埋設させて、充填したコンクリートを縦穴（Ｃ）の周囲に押圧して内部に浸透させる工程と、これらの工程を、一回、または複数回繰り返して行う工程と、最後に、縦穴（Ｃ）にコンクリートを流し込む工程との組み合わせからなることを特徴とする軟弱地盤の補強工法から構成されるものである。
【００１２】
そして、この発明に用いる筒体（４）は、図２に示すように、先端部に尖鋭部材（３）を有し、内部にコンクリート（Ｄ）を充填した筒体であり、縦穴（Ｃ）内に挿入した後、尖鋭部材（３）と、コンクリート（Ｄ）を縦穴（Ｃ）内に残して引き上げるものである。  
【００１３】
また、紡錘状の杭本体（１）は、一例に示すと、図３（Ａ）（Ｂ）に示すように、径２００ｍｍと太めであるが、打ち込む対象が軟弱地盤であるため、充分に打ち込むことが可能である。
【産業上の利用可能性】
【００１４】
この発明は、この工法を開発することにより、土木建築の施工技術を確立し、かつ、実際に施工することにより、産業上の利用可能性を有する。
【図面の簡単な説明】
【００１５】
【図１】この発明の一実施例を示す説明図である。
【図２】この発明の一実施例を示す一部欠截斜視図である。
【図３】この発明に使用する紡錘状の杭本体であり、（Ａ）は、正面図であり、（Ｂ）は底面図である。
【符号の説明】
【００１６】
１  杭本体
２  スパイラルな羽根
３  尖鋭部材
４  筒体
Ａ  軟弱地盤の地面
Ｂ  建設機械
Ｃ  縦穴
Ｄ  コンクリート
【図１】
2006257723.tif 000003
【図２】
2006257723.tif 000004
【図３】
2006257723.tif 000005